(57)【要約】【課題】折帳のリジェクト装置に関し、ブロックを崩すことなく搬送ラインから自動で抜き取ることができるようにする。【解決手段】テーブル３３の折帳支持面３４ａ上に形成された主搬送路３１を走行するブロック状の折帳４を、主搬送路３１から側方に緩やかに傾斜して分岐した副搬送路３２へ選択的に案内する折帳のリジェクト装置であって、テーブル３３の一側縁部に設けられたガイドプレート格納領域４０Ａに、折帳以上の高さを有するガイドプレート４１を立設し、このガイドプレート４１をアクチュエータによって、主搬送路３１上に突出して折帳４を前記副搬送路３２に案内する案内位置と主搬送路３１上に突出せずにガイドプレート格納領域４０Ａに格納された格納位置との間で水平方向に揺動駆動するように構成する。【選択図】図１
2008156109.tif 000002
【特許請求の範囲】
【請求項１】
輪転印刷機の折機の後流側に設置され、前記折機により形成されて、テーブルの折帳支持面上に形成された主搬送路を走行するブロック状の折帳を、該主搬送路から側方に分岐した副搬送路へ選択的に案内する折帳のリジェクト装置であって、
前記テーブルの一側縁部に設けられたガイドプレート格納領域に立設され前記折帳以上の高さを有し、前記主搬送路上に突出して前記折帳を前記副搬送路に案内する案内位置と前記主搬送路上に突出せずに前記ガイドプレート格納領域に格納された格納位置との間で水平方向に揺動しうるガイドプレートと、
前記ガイドプレートを前記案内位置と前記格納位置との間で揺動駆動するアクチュエータとをそなえている
ことを特徴とする、折帳のリジェクト装置。
【請求項２】
前記テーブルの前記ガイドプレート格納領域に、前記折帳支持面よりも低く形成された低面部が形成され、
前記ガイドプレートの下端は、前記折帳支持面よりも下方まで延在している
ことを特徴とする、請求項１記載の折帳のリジェクト装置。
【請求項３】
前記低面部における前記折帳の走行方向下流側の前記折帳支持面との間は、上り傾斜する傾斜面で接続されている
ことを特徴とする、請求項２記載の折帳のリジェクト装置。
【請求項４】
前記低面部は、前記ガイドプレートの稼動領域にのみに設けられている
ことを特徴とする、請求項２又は３記載の折帳のリジェクト装置。
【請求項５】
前記低面部の前記折帳の走行方向に沿った長さは、前記折帳の走行方向長さに対し略２分の１未満になっている
ことを特徴とする、請求項２〜４のいずれか１項に記載の折帳のリジェクト装置。
【請求項６】
前記テーブルの中央部には、スリットが形成され、該スリット内を走行しながら前記折帳を主搬送路に沿って走行させるプッシャがそなえられるとともに、
前記ガイドプレートの前記案内位置は、前記ガイドプレートの先端部が前記プッシャの手前まで旋回した位置に設定されている
ことを特徴とする、請求項１〜５のいずれか１項に記載の折帳のリジェクト装置。
【請求項７】
前記ガイドプレート格納領域に対向する前記テーブルの他側縁部に、前記副搬送路を形成するベルトコンベアが、前記テーブルに近接して配設されている
ことを特徴とする、請求項１〜６のいずれか１項に記載の折帳のリジェクト装置。
【請求項８】
前記アクチュエータの前記揺動駆動の速度は無段階に調整可能である
ことを特徴とする、請求項１〜７のいずれか１項に記載の折帳のリジェクト装置。
【請求項９】
前記アクチュエータの前記揺動駆動の速度を、前記折帳の走行速度に応じて走行速度が高いほど揺動駆動速度が高くなるように制御するコントローラが備えられている
ことを特徴とする、請求項１〜８のいずれか１項に記載の折帳のリジェクト装置。
【請求項１０】
請求項１〜９の何れか１項に記載の折帳のリジェクト装置を備えている
ことを特徴とする、折機。
【請求項１１】
請求項１０記載の折機を備えていることを特徴とする、印刷機。
【発明の詳細な説明】
【技術分野】
【０００１】
本発明は、商業用オフセット輪転印刷機におけるブロック状の折帳の排紙装置に用いて好適の、折帳のリジェクト装置，及びそれを備えた折機及び印刷機に関するものである。
【背景技術】
【０００２】
一般に、輪転印刷機の排紙装置は、印刷部で印刷されたウェブが折機の三角板で折られ、断裁胴により所定の長さに断裁され、折帳となって排紙される。断裁された折帳は、順次振り分け装置により振り分けられ、それぞれ積層形成装置を経由してブロック形成装置へ搬送され、所定部数集積されて所定ページ数のブロック状の折帳（折帳ブロック）にブロック化された後、コンベアベルト或いは爪搬送等の手段で取り出されて搬出される。
【０００３】
このような輪転印刷機の排紙装置として、例えば特許文献１には、折帳を複数の搬送進路に交互に振り分けるガイドユニットが開示されている。この技術では、積層形成装置に羽根車が夫々の経路に配置され、連続して搬入される折張間には振り分けによるスペースが生成されるため、羽根車の各羽根空間へ余裕を持って確実に挿入可能となる。
また、特許文献２には、相対速度に著しい差が生じることなく一方の搬送平面から他方の搬送平面への製品移送を制御して変向部材により搬送可動面を変更する装置が記載されている。特許文献２の従来技術として記載の装置によれば、ブレード式の分岐部材の位置により、製品がくさび状曲線に応じてシリンダ円筒局面に沿って搬送されるか、或いは、製品が分岐部材の上方を上方搬送テープにより案内され搬送されるか、いずれかの搬送路に振り分ける例が記載されている。
【０００４】
また、特許文献３には、シータにおけるシートを高速送りベルトから低速送りベルトに転送する手段を講じながら、高速送りベルトのシート搬出端と低速送りベルトのシート搬入端との間に落差を形成し、送りベルトのシート送り速度差と落差とにより、高速送りベルトから供給される後続のシートの先端部を低速送りベルト上に落下した先行シートの後端部とオーバーラップさせ、シートを刺身状に並べる方法、即ち積層形成装置が記載されている。
【０００５】
特許文献４には、連続する積層シートを区分けしブロックとして搬出する装置において、区分け先行ブロックと次のブロックを部分重畳させ半取出しを行なう手段が開示されている。従来の完全取出しに対し取出し時間を短縮し、高速化を可能としている。
【特許文献１】特開昭６３‐２０８４６８号公報
【特許文献２】特開平８‐１９２９４８号公報
【特許文献３】特開昭６３‐２６２３６６号公報
【特許文献４】特開平１‐２１４５７５号公報
【発明の開示】
【発明が解決しようとする課題】
【０００６】
ところで、上述のように種々の技術により折帳ブロックにブロック化することができるが、このような折帳ブロックを搬送ラインから抜き取ることが必要になる場合がある。このような抜き取りを要するのは、例えば、製品チェックを行なう場合や、搬送ラインよりも上流において折帳ブロックに欠陥（例えば、何れかの頁に印刷欠陥があるなど）があるか否か予め検品しておき、欠陥品を抜き取る場合などがあげられる。
【０００７】
このような場合、製本前の折帳ブロックは、単に重ねられているだけで結合されてはいないため、搬送ラインから抜き取る際に、折帳ブロックがバラバラに崩れてしまうおそれがある。
そこで、折帳ブロックがバラバラに崩れることなく、しかも、人手に頼らずに、搬送ラインを走行する折帳ブロックのうち、特定のものを搬送ラインから自動で抜き取ることができる装置の開発が要望されている。
【０００８】
本発明は、このような課題に鑑み案出されたもので、製本前のブロック状の折帳のうち、特定のものについてブロックを崩すことなく搬送ラインから自動で抜き取ることができるようにした、折帳のリジェクト装置，折機及び印刷機を提供することを目的とする。
【課題を解決するための手段】
【０００９】
上記目的を達成するために、本発明の折帳のリジェクト装置（請求項１）は、輪転印刷機の折機の後流側に設置され、前記折機により形成されて、テーブルの折帳支持面上に形成された主搬送路を走行するブロック状の折帳を、該主搬送路から側方に分岐した副搬送路へ選択的に案内する折帳のリジェクト装置であって、前記テーブルの一側縁部に設けられたガイドプレート格納領域に立設され前記折帳以上の高さを有し、前記主搬送路上に突出して前記折帳を前記副搬送路に案内する案内位置と前記主搬送路上に突出せずに前記ガイドプレート格納領域に格納された格納位置との間で水平方向に揺動しうるガイドプレートと、前記ガイドプレートを前記案内位置と前記格納位置との間で揺動駆動するアクチュエータとをそなえていることを特徴としている。
【００１０】
前記テーブルの前記ガイドプレート格納領域に、前記折帳支持面よりも低く形成された低面部が形成され、前記ガイドプレートの下端は、前記折帳支持面よりも下方まで延在していることが好ましい（請求項２）。
この場合、前記低面部における前記折帳の走行方向下流側の前記折帳支持面との間は、上り傾斜する傾斜面で接続されていることが好ましい（請求項３）。
【００１１】
また、前記低面部は、前記ガイドプレートの稼動領域にのみに設けられていることが好ましい（請求項４）。
また、前記低面部の前記折帳の走行方向に沿った長さは、前記折帳の走行方向長さに対し略２分の１未満になっていることが好ましい（請求項５）。
前記テーブルの中央部には、スリットが形成され、該スリット内を走行しながら前記折帳を主搬送路に沿って走行させるプッシャがそなえられるとともに、前記ガイドプレートの前記案内位置は、前記ガイドプレートの先端部が前記プッシャの手前まで旋回した位置に設定されていることが好ましい（請求項６）。
【００１２】
また、前記ガイドプレート格納領域に対向する前記テーブルの他側縁部に、前記副搬送路を形成するベルトコンベアが、前記テーブルに近接して配設されていることが好ましい（請求項７）。
さらに、前記アクチュエータの前記揺動駆動の速度は無段階に調整可能であることが好ましい（請求項８）。
【００１３】
また、前記アクチュエータの前記揺動駆動の速度を、前記折帳の走行速度に応じて走行速度が高いほど揺動駆動速度が高くなるように制御するコントローラが備えられていることが好ましい（請求項９）。
本発明の折機（請求項１０）は、請求項１〜９の何れか１項に記載の折帳のリジェクト装置を備えていることを特徴としている。
【００１４】
本発明の印刷機（請求項１１）は、請求項１０に記載の折機を備えていることを特徴としている。
【発明の効果】
【００１５】
本発明の折帳のリジェクト装置（請求項１），折機（請求項１０）及び印刷機（請求項１１）によれば、ガイドプレートは、アクチュエータによって、これらの案内位置と格納位置との間で駆動され、ガイドプレートがテーブルの一側縁部に設けられたガイドプレート格納領域に格納された格納位置にあると、主搬送路を走行するブロック状の折帳は、ガイドプレートに影響されることなく、主搬送路をなすテーブル上を走行し、ガイドプレートが搬送路上に突出する案内位置にあると、主搬送路を走行するブロック状の折帳は、ガイドプレートに接触して副搬送路へと案内される。
【００１６】
したがって、通常は主搬送路を走行するブロック状の折帳に対して、この中の特定の折帳を自動或いは遠隔操作で選択して主搬送路から分岐した副搬送路へ導くことができる。また、この際、折帳が案内される副搬送路は、主搬送路から側方に分岐しているので、ガイドプレートの案内位置を主搬送路に対して緩やかに（鈍角に）傾斜した状態として、折帳を円滑に副搬送路へ進入し易くすることが可能になる。これにより、折帳を、そのブロックを崩すことなく抜き取ることができる。さらに、ガイドプレートは折帳以上の高さを有しているので、折帳を高さ方向全域にわたって接触して案内することが可能であり、この点からも、ブロックを崩すことなく抜き取ることができる。
【００１７】
本発明の折帳のリジェクト装置（請求項２），折機（請求項１０）及び印刷機（請求項１１）によれば、ガイドプレートの下端は、テーブルの折帳支持面よりも下方まで延在しているので、折帳の下端部は、ガイドプレートに確実に接触して案内されるため、折帳の下端部がガイドプレートの下端とテーブルの折帳支持面との間に挟まれるような不具合の発生を、確実に防止することができ、ブロックを崩すことなく折帳を抜き取ることができる。
【００１８】
本発明の折帳のリジェクト装置（請求項３），折機（請求項１０）及び印刷機（請求項１１）によれば、折帳が低面部を通過する際に折帳の下端部が下方に微小落下した場合にも、上り傾斜する傾斜面に案内されて、テーブルの折帳支持面に滑らかに進入することができ、主搬送路を走行する折帳のブロックを円滑に走行させることができ、ブロックを崩すおそれも回避される。
【００１９】
本発明の折帳のリジェクト装置（請求項４），折機（請求項１０）及び印刷機（請求項１１）によれば、低面部は、前記ガイドプレートの稼動領域にのみに設けられているので、低面部を形成しながら折帳支持面が最大限確保され、折帳支持面を通じて主搬送路を走行する折帳のブロックを円滑に走行させることができる。
本発明の折帳のリジェクト装置（請求項５），折機（請求項１０）及び印刷機（請求項１１）によれば、低面部の折帳の走行方向に沿った長さが、折帳の走行方向長さに対し略２分の１未満になっているので、低面部を形成しながらも、折帳支持面を通じて主搬送路を走行する折帳のブロックを円滑に走行させることができる。
【００２０】
本発明の折帳のリジェクト装置（請求項６），折機（請求項１０）及び印刷機（請求項１１）によれば、ガイドプレートの案内位置にあってもプッシャと干渉するおそれがなく、万一の誤作動によるガイドプレートとプッシャとの衝突を確実に防止することができる。
本発明の折帳のリジェクト装置（請求項７），折機（請求項１０）及び印刷機（請求項１１）によれば、主搬送路から抜き取られた折帳のブロックを、ベルトコンベアを通じて副搬送路で円滑に走行させることができる。
【００２１】
本発明の折帳のリジェクト装置（請求項８），折機（請求項１０）及び印刷機（請求項１１）によれば、ガイドプレートを最適な速度に設定することができる。
本発明の折帳のリジェクト装置（請求項９），折機（請求項１０）及び印刷機（請求項１１）によれば、ガイドプレートを折帳のブロックに接触しないような状態で運転することが可能になる。
【発明を実施するための最良の形態】
【００２２】
以下、図面により、本発明の実施の形態について説明する。
［実施形態］
まず、本実施形態にかかる折帳のリジェクト装置をその下流側に装備する、輪転印刷機の排紙装置を説明する。本実施形態にかかる印刷機は、輪転印刷機の排紙装置の一例として、本（例えば、コミック本）を印刷して製本するオフセット輪転印刷機であり、図３は、そのオフセット輪転印刷機の折部及び折帳排出部を示す斜視図である。なお、この例では、ウェブ１を幅方向に８分割し長手方向に１２分割してウェブ１の両面に各ページを印刷しており、合計１９２頁（８×１２×２＝１９２）の本を印刷，製本するようになっている。
【００２３】
図３に示すように、折部（折機）には、搬送経路１１に沿って、上流から、サイドトリマ１２，１２及びスリッタ１３と、中三角板１４と、ニッピングローラ１５ａ，１５ｂと、ミシン目ナイフ１６と、小三角板１７と、ニッピングローラ１８ａ，１８ｂと、断裁胴１９ａ，１９ｂと、がそなえられている。折部の下流の折帳排出部には、搬送経路１１に沿って、上流から、羽根車２０ａ，２０ｂ，２０ｃと、図示しないプッシャを備えた折帳ブロック搬送路（単に、搬送路ともいう）２１ａ，２１ｂ，２１ｃと、がそなえられている。
【００２４】
これにより、表面及び裏面にそれぞれのページを印刷されたウェブ１は、まず、搬送経路１１に設けられたサイドトリマ１２，１２により両サイドをトリミングされるとともにスリッタ１３により中央を分割される。分割された各ウェブ１ａ，１ｂは、その後、それぞれの搬送経路に設けられた中三角板１４により、中央を折られて、ニッピングローラ１５ａ，１５ｂによって折り目を加圧される。
【００２５】
その後、各ウェブ１ａ，１ｂは重ね合わされた上で、ミシン目ナイフ１６により中央にアジロミシン目を加工され、小三角板１７により、アジロミシン目の加工された中央を折られて、ニッピングローラ１８ａ，１８ｂによって折り目を加圧される。その後、断裁胴１９ａ，１９ｂによって２頁長さ単位で断裁され、断裁された折帳２は２つの羽根車２０ａ，２０ｂに振り分けられながらそれぞれ集積されて、折帳ブロック３ａ，３ｂが形成される。
【００２６】
折帳ブロック３ａ，３ｂはいずれも、２頁長さの一方は、第１頁から第９６頁までをその順に重ねられた状態とされる。これに隣接する、２頁長さの他方は、第１９２頁から第９７頁までをその順に重ねられた状態とされる。また、第１〜９６頁と第１９２〜９７頁とは天地を逆に印刷される。
折帳ブロック３ａ，３ｂの一方（ここでは、羽根車２０ａにより集積された折帳ブロック３ａ）は搬送路２１ａを図示しないプッシャによってそのまま搬送され、折帳ブロック３ａ，３ｂの他方（ここでは、羽根車２０ｂにより集積された折帳ブロック３ｂ）は、搬送路２１ｂを図示しないプッシャによって搬送された後、羽根車２０ｃにより反転された上で搬送路２１ｃを図示しないプッシャによって搬送される。
【００２７】
搬送路２１ａの下流端は、搬送路２１ｃの直上に近接して配置されており、搬送路２１ａ上の折帳ブロック３ａは、搬送路２１ｃ上の折帳ブロック３ｂの上に重ねられる。これにより、厚みが倍増された大きな折帳ブロック４が形成され、２頁長さの一方は、第１頁から第１９２頁までがその順に重ねられた状態とされ、これに隣接する２頁長さの他方は、第１９２頁から第１頁までがその順に重ねられた状態とされる。
このように、プッシャが停止した状態で折帳ブロック３ａ，３ｂが形成される折帳積層形成工程と、折帳ブロック３ａ，３ｂの形成が完了したタイミングでプッシャにより折帳ブロック３ｂが移動される折帳搬送工程とを繰り返しながら、折帳ブロック３ａ，３ｂさらに大きな折帳ブロック４が形成されては、次工程へと搬送される。
この後、折帳ブロック４は、製本工程に送られ、一縁部を接合され、長手方向に２分されて、本として出来上がる。
【００２８】
そして、本実施形態にかかる折帳のリジェクト装置は、搬送路２１ｃの更に下流に備えられた、折帳ブロック搬送路３０にそなえられている。
図１，図２はその折帳ブロック搬送路（単に、搬送路ともいう）３０を折帳のリジェクト装置４０とともに示す図であり、図１はその模式的な斜視図、図２はその模式的な平面図である。図１，図２に示すように、搬送路３０には、主搬送路３１と、副搬送路３２とがそなえられ、折帳ブロック４は、通常は主搬送路３１を走行し、特定の折帳ブロック４は主搬送路３１から副搬送路３２へと進路を切り替えられるようになっている。
【００２９】
主搬送路３１は、折帳ブロック４が摺動する帯状のテーブル３３により構成される。このテーブル３３は、その一側の右テーブル３４とその他側の左テーブル３５とに分割され、両者３４，３５間にスリット３６が形成されている。右テーブル３４及び左テーブル３５の各上面３４ａ，３５ａは水平な同一面上に位置する平面であり、折帳支持面として機能する。なお、副搬送路３２は、主搬送路３１の他側（左テーブル３５側）に、主搬送路３１に対して緩やかな角度を持って接続されている。
【００３０】
スリット３６内には、テーブル３３の長手方向に沿って移動してテーブル３３上の折帳ブロック４を押して移動させるプッシャ３７が配置されている。なお、プッシャ３７は図示しないスライドアクチュエータによって駆動されるが、スライドアクチュエータは速度可変に構成され、プッシャ３７の移動速度、即ち、テーブル３３上の折帳ブロック４の走行速度を、調整できるようになっている。
【００３１】
本実施形態にかかる折帳のリジェクト装置４０は、副搬送路３２が主搬送路３１から分岐している箇所において、副搬送路３２とは反対側（主搬送路３１の一側）にそなえられる。つまり、テーブル３３の一側（右テーブル３４）には、ガイドプレート格納領域４０Ａが設けられ、この領域４０Ａに、ガイドプレート４１が水平方向に揺動しうるように、鉛直方向を向いた軸（図示略）に回動自在に支持されている。
【００３２】
ガイドプレート４１は、折帳ブロック４の高さよりも高く形成され、折帳ブロック４にその高さ方向全域で当接して走行方向を案内する平面状の案内面（当接面）４１Ａをそなえ、図２に実線で示す格納位置と、図１に実線で示すと共に図２に破線で示す案内位置とをとることができるようになっている。
格納位置は、主搬送路３１上に突出せずにガイドプレート格納領域４０Ａに格納された位置であり、この格納位置ではテーブル３３の長手方向と平行に向く。案内位置は、主搬送路３１上に上面視で斜めに傾斜するように突出した位置であり、この案内位置では主搬送路３１上の折帳ブロック４の移動空間内に突出し折帳ブロック４を副搬送路３２に案内する。
【００３３】
ただし、ガイドプレート４１は、案内位置では、主搬送路３に対して可能な限り僅かな角度としながら、折帳ブロック４を副搬送路３２に確実に案内できるようにすること、及び、万一誤動作しても、ガイドプレート４１がプッシャ３７と衝突するおそれがないようにすること、を考慮して、本実施形態では、ガイドプレート４１は、案内位置になっても、その揺動端部が右テーブル３４上の領域内に位置する（スリット３６内には進入しない）ように構成されている。
【００３４】
このため、ガイドプレート４１を、その揺動時に格納位置及び案内位置に規制するストッパ等の移動制限手段（図示せず）がそなえられている。
なお、ガイドプレート４１の案内位置での主搬送路３１に対する角度を小さくするためには、ガイドプレート４１の長さを大きくすることが有効であるが、この場合、ガイドプレート４１を駆動する負担が大きくなるため限度がある。
【００３５】
ところで、本実施形態では、右テーブル３４のガイドプレート格納領域４０Ａに相当する箇所の上面が、折帳支持面３４ａよりも低く形成された低面部３４ｂとして形成されており、これに合わせて、ガイドプレート４１の下端は、折帳支持面３４ａよりも下方まで延在している。また、低面部３４ｂと、折帳の走行方向下流側の折帳支持面３４ａとの間は、上り傾斜する傾斜面３４ｃで接続されている。
【００３６】
また、低面部３４ｂは、ガイドプレート４１の稼動領域にのみに設けられ、且つ、低面部３４ｂの折帳走行方向に沿った長さは、折帳ブロック４の走行方向長さに対し略２分の１未満に制限されている。
低面部３４ｂをガイドプレート４１の稼動領域のみとするのは、可能な限り、折帳支持面３４ａを確保して折帳ブロック４の走行を安定させるためで、低面部３４ｂの長さを折帳ブロック４の長さの略２分の１未満に制限するのは、右テーブル３４において、常時２分の１以上の長さで折帳支持面３４ａにより折帳ブロック４を支持するようにして、やはり、折帳ブロック４の走行を安定させるためである。
【００３７】
この低面部３４ｂの長さの制限から、ガイドプレート４１の長さも自ずと制限されることになる。
このようなガイドプレート４１は回転アクチュエータ（電動モータ或いはエアモータ等）４２によって、回転駆動（揺動駆動）されるようになっており、さらに、回転アクチュエータ４２の作動を制御するためのコントローラ４３がそなえられている。
【００３８】
特に、本実施形態では、コントローラ４３は、折帳ブロック４の走行位置が所定位置に来たところで回転アクチュエータ４２を作動させ、特に、プッシャ３７の移動速度、即ち、テーブル３３上の折帳ブロック４の走行速度に応じて、移動速度（走行速度）が高いほど回転駆動を高くするように回転アクチュエータ４２を制御する。これは、回転アクチュエータ４２の作動指令に対する一定の応答遅れを考慮したもので、折帳ブロック４の走行速度が速いと、応答遅れの間に折帳ブロック４が大きく移動してしまうため、ガイドプレート４１の突出が間に合わなくなるおそれがあり、折帳ブロック４の走行速度が遅いと、応答遅れの間に折帳ブロック４があまり移動しないため、ガイドプレート４１の突出が早すぎて、対象の折帳ブロック４よりも先行して走行する折帳ブロック４の後部にガイドプレート４１が干渉するおそれがあるためである。
【００３９】
なお、本実施形態では、副搬送路３２は、上面視で主搬送路３１に対して鈍角に配置されるため、副搬送路３２には、複数の幅狭のコンベア３８ａ〜３８ｃが平行に並んで配置されており、これにより、各コンベア３８ａ〜３８ｃと左テーブル３５との隙間が微小なものにされている。
また、主搬送路３１の側縁部には、折帳ブロック４を主搬送路３１に保持するための側部ガイド３９ａ〜３９ｃ，３９ｇがそなえられ、副搬送路３２の側縁部には、折帳ブロック４を副搬送路３２に保持するための側部ガイド３９ｄ〜３９ｆがそなえられている。
特に、側部ガイド３９ｆは、主搬送路３１に飛び出さない範囲で、ガイドプレート４１で副搬送路３２に案内された折帳ブロック４を確実に受け止め副搬送路３２に案内できるように、案内位置にあるガイドプレート４１の案内面４１Ａの延長線上までカバーするように延設されている。
【００４０】
本発明の一実施形態にかかる折帳のリジェクト装置，折機及び印刷機は上述のように構成されているので、例えば、製品チェックを行なう場合や、搬送ラインよりも上流において折帳ブロック４に欠陥（例えば、何れかの頁に印刷欠陥があるなど）があるか否か予め検品しておき、欠陥品を抜き取る場合など、折帳ブロック４を搬送ラインから抜き取ることが必要になる場合、以下のように抜き取りを行なうことができる。
【００４１】
つまり、コントローラ４３は、抜き取り対象の折帳ブロック４が所定位置に来ると、その走行速度に応じてガイドプレート４１が作動するようにアクチュエータ４２に制御信号を出力し、折帳ブロック４の走行速度に応じた所定の駆動速度で作動させ、常時は格納位置にあるガイドプレート４１を対象の折帳ブロック４が来た時にだけ案内位置に駆動し、案内後直ぐに格納位置に戻す。
【００４２】
主搬送路３１を走行する折帳ブロック４は、ガイドプレート４１が格納位置にあるとそのまま主搬送路３１上を走行するが、ガイドプレート４１が案内位置になって搬送路３１上に突出すると、折帳ブロック４はガイドプレートに接触して図２に二点鎖線で示すように副搬送路３２へと案内される。
したがって、所要の折帳ブロック４を確実に抜き取ることができる。
【００４３】
また、この際、折帳ブロック４が案内される副搬送路３２は、主搬送路３１から側方に分岐し、ガイドプレート４１の案内位置を主搬送路３１に対して緩やかに（鈍角に）傾斜した状態としているので、折帳ブロック４がガイドプレート４１の案内面４１Ａに沿って滑るように案内され、円滑に副搬送路３２へ進入する。これにより、折帳ブロック４を、ブロックを崩すことなく抜き取ることができる。
【００４４】
さらに、ガイドプレート４１は折帳ブロック４以上の高さを有しているので、折帳ブロック４を高さ方向全域にわたって接触して案内することができ、この点からも、ブロックを崩すことなく抜き取ることができる。
また、本実施形態の場合、ガイドプレート４１の下端は、テーブルの折帳支持面３４ａよりも下方まで延在しているので、折帳ブロック４の下端部は、ガイドプレート４１に確実に接触して案内されるため、折帳ブロック４の下端部がガイドプレート４１の下端とテーブルの折帳支持面３４ａとの間に挟まれるような不具合の発生を、確実に防止することができ、この点からも、ブロックを崩すことなく折帳を抜き取ることができる。
【００４５】
また、折帳ブロック４が低面部３４ｂを通過する際に折帳ブロック４の下端部が下方に微小落下した場合にも、上り傾斜する傾斜面３４ｃに案内されて、テーブルの折帳支持面３４ａに滑らかに進入することができ、主搬送路３１を走行する折帳ブロック４を円滑に走行させることができ、この点からも、ブロックを崩すおそれも回避される。
また、低面部３４ｂは、ガイドプレート４１の稼動領域にのみに設けられているので、低面部３４ｂを形成しながら折帳支持面３４ａが最大限確保され、折帳支持面３４ａを通じて主搬送路３１を走行する折帳ブロック４を円滑に走行させることができる。
【００４６】
さらに、低面部３４ｂの長さが、折帳ブロック４の長さに対し略２分の１未満になっているので、この点でも、低面部３４ｂを形成しながらも、折帳支持面３４ａを通じて主搬送路３１を走行する折帳ブロック４を円滑に走行させることができる。
また、ガイドプレート４１の案内位置にあってもプッシャ３７と干渉するおそれがなく、万一の誤作動によるガイドプレート４１とプッシャ３７との衝突を確実に防止することができる。
【００４７】
また、副搬送路３２には、ベルトコンベア３８ａ〜３８ｃが備えられているので、折帳ブロック４を円滑に走行させることができる。複数の幅狭のベルトコンベア３８ａ〜３８ｃが備えられ、テーブル３５との隙間が小さくされておるので、折帳ブロック４を円滑に副搬送路３２に進入させることができる。
また、側部ガイド３９ａ〜３９ｇがそなえられるため、折帳ブロック４を主搬送路３１及び副搬送路３２に確実に保持することができ、特に、側部ガイド３９ｆは、主搬送路３１に飛び出さない範囲で、ガイドプレート４１で副搬送路３２に案内された折帳ブロック４を確実に受け止め副搬送路３２に案内できるように、案内位置にあるガイドプレート４１の案内面４１Ａの延長線上までカバーするように延設されているので、ガイドプレート４１で折帳ブロック４を円滑に且つ確実に副搬送路３２に進入させることができる。
【００４８】
〔その他〕
以上、本発明の実施形態について説明したが、本発明は上述の実施形態に限定されない。
例えば、上記実施形態では、低面部３４ｂを設け、ガイドプレート４１を下方に延設させているが、ガイドプレート４１の下面と支持面３４ａと隙間を極力小さくし、且つ、支持面３４ａをより滑らかに構成すれば、折帳ブロック４の下端部がガイドプレート４１の下端とテーブルの折帳支持面３４ａとの間に挟まれるような不具合の発生を招きにくくなるため、図４に示すように、低面部３４ｂを設けずに、ガイドプレート４１を支持面３４ａに直接設けるようにすることもできる。
【００４９】
また、副搬送路３２の主搬送路３１に対する角度は、真横に直角とすることもできる。もちろんこの場合も、ガイドプレート４１の主搬送路３１に対する角度を小さく抑えることが円滑なガイドを実現できる。
また、主搬送路３１や副搬送路３２における折帳ブロック４を駆動する手段は、上記実施形態のものに限らず、種々の搬送装置やアクチュエータを適用できる。
【００５０】
さらに、本実施形態では、コミック本を例に説明したが、本発明にかかる折帳ブロックがこれに限定されないのはもちろんである。
【図面の簡単な説明】
【００５１】
【図１】本発明の一実施形態にかかる折帳のリジェクト装置を示す模式的な斜視図である。
【図２】本発明の一実施形態にかかる折帳のリジェクト装置を示す模式的な平面図である。
【図３】本発明の一実施形態にかかるオフセット輪転印刷機の折部及び折帳排出部を示す斜視図である。
【図４】本発明の一実施形態の変形例にかかる折帳のリジェクト装置を示す模式的な斜視図である。
【符号の説明】
【００５２】
１  ウェブ
１ａ，１ｂ  分割されたウェブ
２  折帳
３ａ，３ｂ折帳ブロック
４  大きな折帳ブロック
１１  搬送経路
１２  サイドトリマ
１３  スリッタ
１４  中三角板
１５ａ，１５ｂ  ニッピングローラ
１６  ミシン目ナイフ
１７  小三角板
１８ａ，１８ｂ  ニッピングローラ
１９ａ，１９ｂ  断裁胴
２０ａ，２０ｂ，２０ｃ  羽根車
２１ａ，２１ｂ，２１ｃ  折帳ブロック搬送路（搬送路）
３０  折帳ブロック搬送路（搬送路）
３１  主搬送路
３２  副搬送路
３３  テーブル
３４  右テーブル
３４ａ，３５ａ  折帳支持面
３４ｂ  低面部
３４ｃ  傾斜面
３５  左テーブル
３６  スリット
３７  プッシャ
４０  折帳のリジェクト装置
４０Ａ  ガイドプレート格納領域
４１  ガイドプレート
４１Ａ  案内面（当接面）
４２  回転アクチュエータ
４３  コントローラ
【図１】
2008156109.tif 000003
【図２】
2008156109.tif 000004
【図３】
2008156109.tif 000005
【図４】
2008156109.tif 000006